(57)【要約】      （修正有）【課題】足に十分フィットし、足の土踏まずに健全なアーチが形成保持されて、足首をしっかりと固定することができる健康保持靴を提供する。【解決手段】健康保持靴における靴紐４の紐通しの態様は、まず、左側の靴紐用突片２０の第１の紐通し孔２１から引き出された靴紐４は、同じ左側の靴紐用突片２０の第２の紐通し孔２２に内通されて、ループＬ２１が形成される一方、右側の靴紐用突片３０の第１の紐通し孔３１から引き出された靴紐４は、右側の靴紐用突片３０の第２の紐通し孔３２に内通されて、ループＬ３１が形成される。そして、他方側の靴紐用突片３０（２０）に対応して形成された紐通し孔３２（２２）に内通させた靴紐４を、一方側のループＬ２１（Ｌ３１）の下方に相互に通過させることで、靴紐４がループ掛け交差される。さらに、靴紐４の終端４１，４２を、それぞれ他方側の紐通し孔３３（２３）に内通させて、同様のループ形成及びループ掛け交差が順次なされる。【選択図】図２
0003203335.tif 000002
【実用新案登録請求の範囲】
【請求項１】
足先側から足首側に複数の紐通し孔を形成した左右一対の靴紐用突片を有し、１本の靴紐の両端を足先側から足首側に形成された前記紐通し孔に順次挿通して、最後に結び留めするようにした健康保持靴において、
靴紐のそれぞれの終端を、左右一対の靴紐用突片に形成した第１の紐通し孔のそれぞれより外側に引き出すように外通させて、靴紐を左右一対の靴紐用突片の第１の紐通し孔に掛け渡して、最初の段の紐通しを行い、
ついで、前記左右一対の第１の紐通し孔から引き出した靴紐のそれぞれを、前記左右一対の第２の紐通し孔に内通させて、左右一対の靴紐用突片に一対のループを形成した後、更に、前記左右一対の第２の紐通し孔のそれぞれに内通させた靴紐を、反対側の靴紐用突片に形成されたループの下方に相互に通過させることでループ掛け交差させて、次の段の紐通しを行い、
以下、次の段の紐通しを、足首側に向かって順次行い、
最後に、足首側の紐通し孔から引き出した靴紐の両端を結び留めしたことを特徴とする、健康保持靴。
【考案の詳細な説明】
【技術分野】
【０００１】
本考案は、健康保持靴に関する。
【背景技術】
【０００２】
従来の紐靴は、例えば、下記特許文献１の図２に示すように、足首側から引き出した靴紐を引っ張り上げて結び留めされている。殆どの靴は、このように足首側で締め上げる構成となっている。
【先行技術文献】
【特許文献】
【０００３】
【特許文献１】特開２００６−７５２０７号公報
【考案の概要】
【考案が解決しようとする課題】
【０００４】
しかしながら、このような構成では、足首側は靴紐により十分に締め上げることは出来るが、足先側に向かうにつれて、締め上げが不十分となる。靴全体が足に十分にフィットせず、歩いたり、走ったりする際に、足の裏に健全なアーチが保持されず、また、足首を固定できないため、種々の障害を生じる恐れがあり、改善の余地がある。
また、近時においては、現代人の不健康さは、足の裏に健全なアーチが形成されていないことに起因しており、健全なアーチを形成保持することは整体学上から言っても、健康維持に極めて重要なことが叫ばれている。
【０００５】
本考案は、このような事情を考慮して提案されたもので、その目的は、足に十分フィットし、足の土踏まずに健全なアーチが形成保持されて、足首をしっかりと固定することができる健康保持靴を提供することにある。
【課題を解決するための手段】
【０００６】
上記目的を達成するために、本考案に係る健康保持靴は、足先側から足首側に複数の紐通し孔を形成した左右一対の靴紐用突片を有し、１本の靴紐の両端を足先側から足首側に形成された前記紐通し孔に順次挿通して、最後に結び留めするようにした健康保持靴であって、靴紐のそれぞれの終端を、左右一対の靴紐用突片に形成した第１の紐通し孔のそれぞれより外側に引き出すように外通させて、靴紐を左右一対の靴紐用突片の第１の紐通し孔に掛け渡して、最初の段の紐通しを行い、ついで、前記左右一対の第１の紐通し孔から引き出した靴紐のそれぞれを、前記左右一対の第２の紐通し孔に内通させて、左右一対の靴紐用突片に一対のループを形成した後、更に、前記左右一対の第２の紐通し孔のそれぞれに内通させた靴紐を、反対側の靴紐用突片に形成されたループの下方に相互に通過させることでループ掛け交差させて、次の段の紐通しを行い、以下、次の段の紐通しを、足首側に向かって順次行い、最後に、足首側の紐通し孔から引き出した靴紐の両端を結び留めしたことを特徴とする。
【図面の簡単な説明】
【０００７】
【図１】本考案の一実施形態に係る健康保持靴の一例を示す概略斜視図である。
【図２】（ａ）は、同健康保持靴における最初の段の紐通しの一例、（ｂ）、（ｃ）は、次の段の紐通しの一例、（ｄ）は、更に次の段の紐通しの一例を示す概略説明図である。
【図３】靴紐が結び留めされた同健康保持靴の一例を示す概略説明図である。
【考案を実施するための形態】
【０００８】
以下に、本考案の実施の形態について、図面を参照しながら説明する。
図１は、本実施形態に係る健康保持靴を運動靴に適用した一例を示す図である。
健康保持靴１は、図１に示すように、靴本体１０の前側開き部２における左右一対の靴紐用突片２０，３０に形成した複数の紐通し孔２１・・・２ｎ，３１・・・３ｎに、靴紐４をジグザグに架け渡した構成となっている。足首側の紐通し孔２ｎ，３ｎから引き出された靴紐４の引っ張り具合を調整することにより、前側開き部２の締め付けを任意に調整して、履き口３への足の出し入れと、足の締め付け力を調整し得る構成となっている。
左右一対の靴紐用突片２０，３０には、足先側から足首側に向けて複数の紐通し孔２１・・・２ｎ，３１・・・３ｎが形成されている。１本の靴紐４を、後述する手順に従って、足先側から足首側に向けて順次紐通し孔に挿通して、最後に足首側の紐通し孔２ｎ，３ｎから引き出された靴紐４の両端が結び留めされる（図１及び図３参照）。
靴紐４は、丸紐や平紐などを用いることができ、木綿やナイロンなどの柔軟な素材からなる。
【０００９】
次に、図２及び図３を用いて、靴紐４の紐通し手順を説明する。
要約すれば、靴紐４は、まず、図２（a）に示したように、左右一対の靴紐用突片の足先側の紐通し孔で最初の段の紐通しがなされる。ついで、図２（ｂ）に示したように、左右一対の靴紐用突片の足先側の紐通し孔よりも足首側に隣接した紐通し孔で一対のループが形成され、更に、図２（ｃ）に示したように、靴紐を反対側の靴紐用突片のループの下方を潜らせてループ掛け交差がなされることで、次の段の紐通しがなされ、以下、同様のループ形成とループ掛け交差が、図２（ｄ）に示したように、左右一対のそれぞれの靴紐用突片の靴紐通し孔で足首側に向けて繰り返しなされ、最後に図３に示したように、足首側の紐通し孔より引き出した靴紐の両端が結び留めされる。
【００１０】
具体的には、靴紐４は、まず図２（ａ）に示すように、それぞれの終端４１，４２が、左右一対の靴紐用突片２０，３０に形成した第１の紐通し孔２１，３１のそれぞれより外側に引き出すように外通されることで、靴紐４が左右一対の靴紐用突片２０，３０の第１の紐通し孔２１，３１に掛け渡されて、最初の段の紐通しがなされる。
ついで、図２（ｂ）に示すように、第１の紐通し孔２１，３１から引き出した靴紐４の終端４１，４２のそれぞれを、前記左右一対の靴紐用突片２０，３０に形成された第２の紐通し孔２２，３２に、内側に差し入れるように、内通させる。これにより、左右一対のループＬ２１，Ｌ３１（Ｌ１）が形成される。
ついで、図２（ｃ）に示すように、一方側の靴紐用突片２０（３０）に対応して形成された第２の紐通し孔２２（３２）に内通させた靴紐４を、他方側のループＬ３１（Ｌ２１）の下方に相互に通過させることで、靴紐４をループ掛け交差させる。これにより、次の段の紐通しがなされる。
【００１１】
その後、図２（ｄ）に示すように、左右一対のループＬ２２，Ｌ３２（Ｌ１）形成、及びループ掛け交差がなされることにより、次の段の紐通しがなされる。
具体的には、まず当該靴紐４の終端４１，４２を、それぞれ他方側の第３の紐通し孔３３（２３）に内通させることで、左右一対のループＬ２２，Ｌ３２（Ｌ１）が形成される。
ついで、他方側の靴紐用突片３０（２０）の第３の紐通し孔３３（２３）に内通させた靴紐４を、一方側のループＬ２２（Ｌ３２）の下方に相互に通過させることで、靴紐４をループ掛け交差させる。
以下、同様のループ形成及びループ掛け交差が繰り返しなされ、最後に、足首側の紐通し孔２ｎ，３ｎから靴紐４を引き出し、靴紐４の終端４１，４２側の部位が結び留めされる（図３参照）。
なお、図例では、左右一対の靴紐用突片２０，３０のうちの靴紐用突片３０の紐通し孔３１・・・から引き出した靴紐４が、靴紐用突片２０の紐通し孔２１・・・から引き出した靴紐４の上方側となるように、靴紐４をループ掛け交差させた例を示しているが、この例に限定されない。これらの上下関係が逆になるように交差させてもよく、一部のみが他の逆となるように交差させるようにしてもよい。また、結び留めの態様は図例のものに限られず、種々のものとしてもよい。
【００１２】
本考案の健康保持靴１における靴紐４の紐通しの態様を要約すれば、まず、左側の靴紐用突片２０の第１の紐通し孔２１から引き出された靴紐４は、同じ左側の靴紐用突片２０の第２の紐通し孔２２に内通されて、ループＬ２１が形成される一方、右側の靴紐用突片３０の第１の紐通し孔３１から引き出された靴紐４は、右側の靴紐用突片３０の第２の紐通し孔３２に内通されて、ループＬ３１が形成される。
そして、他方側の靴紐用突片３０（２０）に対応して形成された紐通し孔３２（２２）に内通させた靴紐４を、一方側のループＬ２１（Ｌ３１）の下方に相互に通過させることで、靴紐４がループ掛け交差される。さらに、靴紐４の終端４１，４２を、それぞれ他方側の紐通し孔３３（２３）に内通させて、同様のループ形成及びループ掛け交差がなされる。
以下、同様にループ形成及びループ掛け交差が順次なされ、最後に足首側の紐通し孔２ｎ，３ｎから靴紐４が左右に分かれて引き出されて結び留めされる。
【００１３】
上記構成により、足首側の紐通し孔２ｎ，３ｎから引き出された靴紐４の終端４１，４２側の部位を引っ張ることにより、左右の紐通し孔２１・・・２ｎ，３１・・・３ｎに内通させて形成したループＬ２１・・・，Ｌ３１・・・（Ｌ１）が足首側に引っ張り上げられるので、靴紐４を容易に締め上げることができる。
これにより、足首側の紐通し孔２ｎ，３ｎから左右に分かれて引き出された靴紐４の終端４１，４２側の部位を引っ張ることで、靴紐４を全体的に締め上げることができ、地下足袋のように靴全体を足にフィットさせることができる。また、当該健康保持靴１は足にフィットさせた状態で履くことができるので、足の土踏まずに健全なアーチを形成し、かつ足首をしっかりと固定することができる。これにより、機敏な動作が可能になるとともに、外反母趾、内反小趾、扁平足、足底筋膜炎、踵骨棘、等のような従来の靴にありがちな障害の発生を防止することができる。
また、結び留めした靴紐４を緩めることにより、足全体の締め付けを容易に緩和させることもできる。
【００１４】
なお、健康保持靴１の靴本体１０の各部位の構造、寸法などは本実施形態のものに限定されない。履き口３、及び複数の紐通し孔２１・・・２ｎ，３１・・・３ｎを形成した左右一対の靴紐用突片２０，３０を有したものであればよい。
【符号の説明】
【００１５】
１                                健康保持靴
２０，３０                        一対の靴紐用突片
２１・・・２ｎ，３１・・・３ｎ    紐通し孔
２１，３１                        第１の紐通し孔
２２，３２                        第２の紐通し孔
２ｎ，３ｎ                        足首側の紐通し孔
Ｌ２１・・・，Ｌ３１・・・（Ｌ１）一対のループ
４                                靴紐
４１，４２                        靴紐の終端
【図１】
0003203335.tif 000003
【図２】
0003203335.tif 000004
【図３】
0003203335.tif 000005